(57)【要約】【課題】通信効率に優れた移動局および基地局を提供すること。【解決手段】移動局が、基地局との間で通信を行う期間である通信期間と通信を行わない期間である非通信期間とを有する間欠通信を行っている場合に、隣接基地局の電波の受信状況を取得する期間であるスキャン期間が複数の通信期間と重複する場合に、スキャン期間、通信期間および非通信期間の長さに応じてスキャン期間の始期および終期を設定する。これにより、通信期間がスキャン期間と重複して基地局との通信機会が失われる期間を最短に抑制し、通信効率を向上させることができる。【選択図】        図１
2010098469.tif 000002
【特許請求の範囲】
【請求項１】
第１の基地局との間で通信を行う期間である通信期間と、該第１の基地局との間で通信を行わない期間である非通信期間とを管理する間欠通信管理部と、
第２の基地局の電波の受信状況を取得するスキャン処理を実行可能な期間であるスキャン期間が、複数の前記通信期間と重複する場合に、前記スキャン期間を前記通信期間との重複期間が小さくなるようにシフトして設定するスキャン期間設定部と、
前記スキャン期間設定部によって設定されたスキャン期間において前記スキャン処理を実行するスキャン処理部と、
を備えたことを特徴とする移動局。
【請求項２】
前記スキャン期間設定部は、前記スキャン期間を、該スキャン期間の始期が前記非通信期間のいずれかに含まれ、かつ、該スキャン期間の終期が前記非通信期間のいずれかに含まれるように設定することを特徴とする請求項１に記載の移動局。
【請求項３】
前記スキャン期間設定部は、前記スキャン期間の始期を前記非通信期間の始期と一致させることを特徴とする請求項１に記載の移動局。
【請求項４】
前記スキャン期間設定部は、前記スキャン期間の終期を前記非通信期間の終期と一致させることを特徴とする請求項１に記載の移動局。
【請求項５】
前記スキャン期間設定部は、前記第１の基地局との間で複数のコネクションが確立されている場合に、優先度が高いコネクションほど前記スキャン期間と前記通信期間の重複期間の長さが短くなるように前記スキャン期間を設定すること特徴とする請求項１に記載の移動局。
【請求項６】
移動局との間で通信を行う期間である通信期間と、該第１の基地局との間で通信を行わない期間である非通信期間とを管理する間欠通信管理部と、
前記移動局が他の基地局の電波の受信状況を取得するスキャン処理を実行可能な期間であるスキャン期間が複数の前記通信期間と重複する場合に、前記スキャン期間を前記通信期間との重複期間が小さくなるようにシフトして設定するスキャン期間設定部と、
前記スキャン期間設定部によって設定されたスキャン期間において前記移動局に前記スキャン処理を実行させるスキャン処理部と、
を備えたことを特徴とする基地局。
【発明の詳細な説明】
【技術分野】
【０００１】
この発明は、移動局および基地局に関する。
【背景技術】
【０００２】
無線通信システムには、移動局（ＭＳ：Mobile Station）の電力消費を抑えるために、間欠通信を行うものがある。間欠通信の一例を図１７に示す。図１７に示すように、間欠通信においては、移動局は、基地局（ＢＳ：Base Station）との同期を取りつつ、予め決められた通信期間で基地局と通信を行う。そして、移動局は、通信期間以外の非通信期間では通信のための処理部を休止させて、消費電力を抑制することができる。このような間欠通信を行う状態は、スリープモードと呼ばれることもある（例えば、特許文献１参照）。
【０００３】
また、セル方式の無線通信システムでは、移動局がセル間を移動する際にスムーズにハンドオーバを実行できるように、スキャン処理が実行される。スキャン処理とは、次の通信先となる基地局を決定するため、現在通信を行っている基地局であるサービング基地局（ＳＢＳ：ServingBS）に隣接する隣接基地局（ＮＢＳ：NeighborBS）の電波の受信品質を測定する処理である。
【０００４】
スキャン処理の一例を図１８に示す。図１８に示すように、移動局（ＭＳ）は、所定の条件が満たされると、サービング基地局（ＳＢＳ）に対してスキャン期間を要求し、サービング基地局はその応答を返す。スキャン期間とは、スキャン処理が実行される期間である。そして、移動局は、スキャン期間において、隣接基地局（ＮＢＳ）に同期し、隣接基地局の電波をスキャンした後にサービング基地局に同期を戻す。このように、スキャン期間においては、移動局は、隣接基地局に同期し、サービング基地局と通信を行わなくともよい。
【０００５】
【特許文献１】国際公開第２００５／０８６３７９号パンフレット
【発明の開示】
【発明が解決しようとする課題】
【０００６】
無線通信システムは、上記のような間欠通信を行う機能とスキャン処理を行う機能とを併せもつことができるが、そのような無線通信システムでは、通信効率が低下することがあった。この問題について図１９を参照しながら説明する。
【０００７】
図１９に示すように、間欠通信を行う機能とスキャン処理を行う機能とを併せもつ無線通信システムでは、スキャン期間が間欠通信における通信期間と重なってしまうことがある。間欠通信における通信期間は、移動局がサービング基地局と通信を行って音声等のユーザデータを送受信することができる期間であるが、この期間がスキャン期間と重なると、その重複期間は、移動局がサービング基地局と通信できない通信不能期間となる。その結果、移動局がサービング基地局との間でユーザデータを送受信する機会が減少し、通信効率が低下する。
【０００８】
本発明の１側面では、通信効率に優れた移動局および基地局を提供することを目的とする。
【課題を解決するための手段】
【０００９】
第１の案では、移動局は、一つの態様において、第１の基地局との間で通信を行う期間である通信期間と通信を行わない期間である非通信期間とを管理する間欠通信管理部と、第２の基地局の電波の受信状況を取得するスキャン処理を実行する期間であるスキャン期間が複数の通信期間と重複する場合に、前記スキャン期間を前記通信期間との重複期間が小さくなるようにシフトして設定するスキャン期間設定部と、前記スキャン期間設定部によって設定された前記スキャン期間において前記スキャン処理を実行するスキャン処理部とを備える。
【００１０】
また、第２の案では、基地局は、一つの態様において、移動局との間で通信を行う期間である通信期間と通信を行わない期間である非通信期間とを管理する間欠通信管理部と、前記移動局が他の基地局の電波の受信状況を取得するスキャン処理を実行する期間であるスキャン期間が複数の通信期間と重複する場合に、前記スキャン期間を前記通信期間との重複期間が小さくなるようにシフトして設定するスキャン期間設定部と、前記スキャン期間設定部によって設定された前記スキャン期間において前記移動局に前記スキャン処理を実行させるスキャン処理部とを備える。
【発明の効果】
【００１１】
通信効率に優れた移動局および基地局を得ることができる。
【発明を実施するための最良の形態】
【００１２】
以下に添付図面を参照して、本発明の実施例について説明する。以下、ＷｉＭＡＸ（Worldwide Interoperability for Microwave Access）方式の無線通信システムを１例に挙げて説明するが、本発明の適用対象はこれに限定されない。すなわち、本発明は、例えば、間欠通信を行う機能とスキャン処理を行う機能とを併せもった３Ｇや３．９Ｇ等の携帯電話システムにも適用することができる。
【実施例１】
【００１３】
まず、本実施例におけるスキャン期間設定方法について図１を用いて説明する。図１に示すように、本実施例におけるスキャン期間設定方法では、スキャン期間が間欠通信における通信期間と重複する場合に、スキャン期間の位置を調整することによって重複期間を短縮させる。
【００１４】
具体的には、本実施例におけるスキャン期間設定方法では、スキャン期間の始期がいずれかの非通信期間に含まれ、かつ、スキャン期間の終期がいずれかの非通信期間に含まれるように設定される。
【００１５】
スキャン期間の位置をこのように調整することにより、通信期間であるにも関わらずスキャン期間と重なったためにサービング基地局と通信を行わなくともよい期間である通信不能期間を短縮することができる。図１に示した例では、スキャン期間の位置をこのように調整することによって、未調整の場合における後半の通信不能期間が消滅している。
【００１６】
上記のように調整することができない場合、本実施例におけるスキャン期間設定方法では、図２に示すようにスキャン期間の始期が非通信期間の始期と一致するか、図３のようにスキャン期間の終期が非通信期間の終期と一致するように調整が行われる。このように調整することにより、スキャン期間が非通信期間と重複する期間を増やし、通信不能期間を相対的に短くすることができる。
【００１７】
なお、例えば、非通信期間の長さが変動するような場合には、スキャン期間の始期を非通信期間の始期と一致させた場合と、スキャン期間の終期を非通信期間の終期と一致させた場合とで、スキャン期間と通信期間の重複期間の長さが異なる。このような場合には、スキャン期間と通信期間の重複期間が短くなる方にスキャン期間の位置が調整される。
【００１８】
次に、上記のスキャン期間設定方法を実行する移動局１０の構成について説明する。なお、移動局１０を含むネットワーク構成として、図４のような構成を想定する。すなわち、サービング基地局（ＳＢＳ）と隣接基地局（ＮＢＳ）の仕様は、以下の通りであるものとする。
［ＳＢＳ］中心周波数：２４９８．５ＭＨｚ，バンド幅：５ＭＨｚ
［ＮＢＳ］中心周波数：２５０３．５ＭＨｚ，バンド幅：５ＭＨｚ
【００１９】
図５は、移動局１０の構成を示すブロック図である。図５に示すように、移動局１０は、基地局２０と無線通信を行う通信装置であり、スキャン実行判定部１１と、スキャン期間長決定部１２と、間欠通信管理部１３と、優先度決定部１４と、通信量測定部１５と、スキャン期間設定部１６と、重複期間算出部１７と、スキャン処理部１８とを有する。なお、図５では、間欠通信を行う機能とスキャン処理を行う機能に関連する部位以外の図示を省略している。
【００２０】
スキャン実行判定部１１は、所定の実行条件に基づいて、スキャン処理の実行が必要か否かを判定する。スキャンの実行条件の一例を図６に示す。図６に示す実行条件は、移動局１０が隣接基地局から受信する受信信号の強度（ＲＳＳＩ：Receive Signal Strength Indicator）をスキャン実行判定部１１が監視し、受信信号強度に対する信号雑音の比（ＣＩＮＲ：Carrior Interference Noise Ratio）が閾値である２０ｄＢよりも小さくなるとスキャンの実行を決定することを示している。
【００２１】
スキャン期間長決定部１２は、スキャン期間の長さを決定する。スキャン期間の長さの決定は、どのような方式で行ってもよく、例えば、隣接基地局１つにつき４０フレームというように、隣接基地局の数に応じて決定することができる。移動局１０は、サービング基地局から周期的に送信されるＭＯＢ＿ＮＢＲ−ＡＤＶから隣接基地局に関する情報を取得して図７に示すように保持しており、スキャン期間長決定部１２は、この情報から隣接基地局の数を知ることができる。
【００２２】
間欠通信管理部１３は、間欠通信の状態を管理する。具体的には、間欠通信管理部１３は、ＰＳＣ（PowerSavingClass）から、Ｌｉｓｔｅｎｉｎｇ  Ｗｉｎｄｏｗ（通信期間）の長さ、Ｓｌｅｅｐｉｎｇ  Ｗｉｎｄｏｗ（非通信期間）の長さ等の情報を取得して、間欠通信状態情報として保持する。
【００２３】
間欠通信状態情報の一例を図８に示す。図８に示すように、間欠通信状態情報は、ＣＩＤ（Connection ID）、Ｌｉｓｔｅｎｉｎｇ  Ｗｉｎｄｏｗ長、Ｓｌｅｅｐｉｎｇ  Ｗｉｎｄｏｗ長、ＰＳＣの状態、間欠通信開始フレーム番号といった項目を有し、サービング基地局との通信接続を構成しているコネクション毎に情報が格納される。
【００２４】
ＣＩＤは、コネクションを識別するための識別番号である。Ｌｉｓｔｅｎｉｎｇ  Ｗｉｎｄｏｗ長は、間欠通信における通信期間の長さであり、Ｓｌｅｅｐｉｎｇ  Ｗｉｎｄｏｗ長は、間欠通信における非通信期間の長さである。ＰＳＣの状態は、コネクションが間欠通信中であるか否かを示し、「活性化」と「非活性化」の何れかの値をとる。ＰＳＣの値が「活性化」の場合、対応するコネクションが間欠通信を行う状態であることを意味し、ＰＳＣの値が「非活性化」の場合、対応するコネクションが間欠通信を行う状態でないことを意味する。間欠通信開始フレーム番号は、間欠通信を開始したフレームの番号である。
【００２５】
このように、移動局１０は、コネクション毎に間欠通信を行うか否かを切り換えることができ、また、通信期間と非通信期間のタイミングをコネクション毎に独立して設定することができる。
【００２６】
優先度決定部１４は、各コネクションの優先度を決定する。優先度の決定は、どのような方式で行ってもよいが、ここでは、通信量測定部１５によって測定されたコネクション毎の通信量に基づいて、通信量が多いコネクションほど優先度を高くするものとする。なお、優先度の決定は、例えば、コネクション毎に設定されたＱｏＳ（Quality of Service）に基づいて行ってもよい。
【００２７】
通信量測定部１５は、コネクション毎に通信量を測定する。通信量測定部１５による通信量の測定結果の一例を図９に示す。図９に示す例では、コネクション毎の通信量がフレーム単位で測定されている。
【００２８】
スキャン期間設定部１６は、スキャン実行判定部１１によってスキャン処理の実行が必要であると判定された場合に、スキャン期間長決定部１２によって決定された長さのスキャン期間の開始タイミングを決定する。
【００２９】
具体的には、スキャン期間設定部１６は、間欠通信管理部１３に対して間欠通信を行う状態にあるコネクションがあるか否かを問い合わせる。ここで、間欠通信を行う状態にあるコネクションがなければ、スキャン期間の開始タイミングとしても通信効率は同等である。そのため、間欠通信を行う状態にあるコネクションがない場合は、スキャン期間設定部１６は、所定時間後をスキャン期間の開始タイミングとして決定する。
【００３０】
一方、間欠通信を行う状態にあるコネクションがあれば、スキャン期間設定部１６は、間欠通信管理部１３から各コネクションの通信期間と非通信期間を取得し、それらの論理和を求めて、共通非通信期間を取得する。ここでいう論理和は、いずれかのコネクションが通信期間であればその期間を通信期間とみなす処理を意味する。また、共通非通信期間は、いずれかのコネクションも通信期間となっていない期間を意味する。
【００３１】
続いて、スキャン期間設定部１６は、図１０に示すように、スキャン期間の始期がいずれかの共通非通信期間に含まれ、かつ、スキャン期間の終期がいずれかの共通非通信期間に含まれるようにスキャン期間の開始タイミングを設定できるかを確認する。そして、設定できる場合は、その場合の開始タイミングをスキャン期間の開始タイミングと決定する。このように設定できれば、共通非通信期間とスキャン期間の重複時間を最も長く設定し、スキャン期間と通信期間の重複のために各コネクションがサービング基地局と通信を行うことができない期間を相対的に短くできるからである。
【００３２】
上記のタイミングを設定できない場合、スキャン期間設定部１６は、スキャン期間の始期を共通非通信期間の始期と一致させた場合における各コネクションの通信期間とスキャン期間の重複期間の長さを重複期間算出部１７に算出させる。そして、スキャン期間設定部１６は、算出された各コネクションの重複時間を、優先度決定部１４によって決定された優先度が高いコネクションの重複時間が長く評価されるように重みを付けて集計する。
【００３３】
さらに、スキャン期間設定部１６は、スキャン期間の終期を共通非通信期間の終期と一致させた場合における各コネクションの通信期間とスキャン期間の重複期間の長さを重複期間算出部１７に算出させる。そして、スキャン期間設定部１６は、算出された各コネクションの重複時間を、優先度決定部１４によって決定された優先度が高いコネクションの重複時間が長く評価されるように重みを付けて集計する。
【００３４】
そして、スキャン期間設定部１６は、重複時間の集計値の小さい方のスキャン期間を採用する。重複時間は、間欠通信の観点からはサービング基地局と通信を行うことができる期間であるにも関わらず、スキャン期間との重複のためにサービング基地局と通信を行うことができない期間であり、通信効率を向上させるには短い方が好ましいからである。
【００３５】
ここで、優先度に応じた重み付けを行うのは、優先度の高いコネクションの通信効率を優先的に向上させるためである。したがって、重みの大きさは、優先度の高いコネクションの通信効率をどれだけ優先することが必要かに応じて決定される。
【００３６】
図１１は、重複期間の比較の一例を示す図である。図１１に示す例では、スキャン期間の始期が共通非通信期間の始期に一致するように、スキャン期間の開始タイミングをフレーム番号３５の位置に設定した場合における各コネクションの重複期間は以下の通りになっている。
ＣＩＤ＝１のコネクション：１５フレーム
ＣＩＤ＝２のコネクション：２０フレーム
【００３７】
また、図１１に示す例では、スキャン期間の終期が共通非通信期間の終期に一致するように、スキャン期間の開始タイミングをフレーム番号９０の位置に設定した場合における各コネクションの重複期間は以下の通りになっている。
ＣＩＤ＝１のコネクション：１０フレーム
ＣＩＤ＝２のコネクション：２５フレーム
【００３８】
ここで、ＣＩＤ＝１のコネクションの優先度が最も高く、最も優先度が高いコネクションの重複時間を２倍に評価する重み付けが行われているとすると、重複時間の集計値は以下のようになる。
開始タイミングがフレーム番号３５の場合：５０
開始タイミングがフレーム番号９０の場合：４５
【００３９】
この例では、スキャン期間の開始タイミングをフレーム番号９０の位置に設定した場合の方が重複時間の集計値が小さいため、スキャン期間設定部１６は、スキャン期間の開始タイミングをフレーム番号９０の位置に決定する。
【００４０】
図５の説明に戻って、重複期間算出部１７は、通信期間とスキャン期間の重複期間の長さをコネクション毎に算出する。スキャン処理部１８は、スキャン期間設定部１６によって決定されたタイミングでスキャン期間が開始するようにサービング基地局と調整を行い、スキャン期間にスキャン処理を実行する。サービング基地局との間でのスキャン期間の調整は、例えば、ＭＯＢ＿ＳＣＮ−ＲＥＱとＭＯＢ＿ＳＣＮ−ＲＳＰのやりとりによって実現できる。
【００４１】
次に、移動局１０によるスキャン期間設定処理の処理手順について説明する。図１２は、スキャン期間設定処理の処理手順を示すフローチャートである。図１２に示すように、スキャン実行判定部１１は、スキャン処理の実行が必要であるか否かを判定し（ステップＳ１０１）、必要ないと判断した場合は（ステップＳ１０１否定）、判定を再実行する（ステップＳ１０１）。
【００４２】
そして、スキャン実行判定部１１が、スキャン処理の実行が必要であると判断した場合は（ステップＳ１０１肯定）、スキャン期間長決定部１２が、スキャン期間の長さを決定する（ステップＳ１０２）。続いて、スキャン期間設定部１６が、間欠通信中のコネクションがあるか否かを間欠通信管理部１３に問い合わせる。ここで、間欠通信中のコネクションがなければ（ステップＳ１０３否定）、スキャン期間設定部１６は、所定時間後をスキャン期間の開始タイミングとして決定する（ステップＳ１０４）。そして、スキャン処理部１８が、その開始タイミングでスキャン処理を実行し（ステップＳ１１５）、その後、ステップＳ１０１から処理が再開される。
【００４３】
一方、間欠通信中のコネクションがあれば（ステップＳ１０３肯定）、スキャン期間設定部１６は、間欠通信管理部１３から各コネクションの通信期間と非通信期間を取得する（ステップＳ１０５）。そして、それらの論理和を求めて、共通非通信期間を取得する（ステップＳ１０６）。続いて、スキャン期間設定部１６は、スキャン期間の始期がいずれかの共通非通信期間に含まれ、かつ、スキャン期間の終期がいずれかの共通非通信期間に含まれるようにスキャン期間の開始タイミングを設定できるかを判定する（ステップＳ１０７）。
【００４４】
そして、設定できる場合は（ステップＳ１０８肯定）、スキャン期間設定部１６は、その場合の開始タイミングをスキャン期間の開始タイミングと決定する（ステップＳ１０９）。そして、スキャン処理部１８が、その開始タイミングでスキャン処理を実行し（ステップＳ１１５）、その後、ステップＳ１０１から処理が再開される。
【００４５】
上記のタイミングを設定できない場合（ステップＳ１０８否定）、スキャン期間設定部１６は、スキャン期間の始期を共通非通信期間の始期と一致させた場合における各コネクションの通信期間とスキャン期間の重複期間の長さを重複期間算出部１７に算出させる（ステップＳ１１０）。そして、スキャン期間設定部１６は、算出された各コネクションの重複時間を、優先度に応じた重みを付けて集計する（ステップＳ１１１）。
【００４６】
さらに、スキャン期間設定部１６は、スキャン期間の終期を共通非通信期間の終期と一致させた場合における各コネクションの通信期間とスキャン期間の重複期間の長さを重複期間算出部１７に算出させる（ステップＳ１１２）。そして、スキャン期間設定部１６は、算出された各コネクションの重複時間を、優先度に応じた重みを付けて集計する（ステップＳ１１３）。
【００４７】
そして、スキャン期間設定部１６は、重複時間の集計値の小さい方のスキャン期間を採用する（ステップＳ１１２）。そして、スキャン処理部１８が、採用された開始タイミングでスキャン処理を実行し（ステップＳ１１５）、その後、ステップＳ１０１から処理が再開される。
【実施例２】
【００４８】
実施例１では、各コネクションの優先度をスキャン期間の設定に反映させるために優先度に応じて重複期間に重み付けを行う例を示したが、実施例２では、他のやり方で各コネクションの優先度をスキャン期間の設定に反映させる例を示す。
【００４９】
まず、本実施例に係る移動局３０の構成について説明する。なお、以下の説明では、既に説明した部位と同一の部位には、既に説明した部位と同一の符号を付し、重複する説明を省略することとする。
【００５０】
図１３は、移動局３０の構成を示すブロック図である。図１３に示すように、移動局３０は、基地局２０と無線通信を行う通信装置であり、スキャン実行判定部１１と、スキャン期間長決定部１２と、間欠通信管理部１３と、優先度決定部１４と、通信量測定部１５と、スキャン期間設定部３６と、重複期間算出部１７と、スキャン処理部１８とを有する。なお、図１３では、間欠通信を行う機能とスキャン処理を行う機能に関連する部位以外の図示を省略している。
【００５１】
スキャン期間設定部３６は、スキャン実行判定部１１によってスキャン処理の実行が必要であると判定された場合に、スキャン期間長決定部１２によって決定された長さのスキャン期間の開始タイミングを決定する。
【００５２】
具体的には、スキャン期間設定部３６は、間欠通信管理部１３に対して間欠通信を行う状態にあるコネクションがあるか否かを問い合わせる。ここで、間欠通信を行う状態にあるコネクションがなければ、スキャン期間設定部３６は、所定時間後をスキャン期間の開始タイミングとして決定する。
【００５３】
一方、間欠通信を行う状態にあるコネクションがあれば、スキャン期間設定部３６は、間欠通信管理部１３から各コネクションの通信期間と非通信期間を取得し、それらの論理和を求めて、共通非通信期間を取得する。
【００５４】
続いて、スキャン期間設定部３６は、図１０に示したように、スキャン期間の始期がいずれかの共通非通信期間に含まれ、かつ、スキャン期間の終期がいずれかの共通非通信期間に含まれるようにスキャン期間の開始タイミングを設定できるかを確認する。そして、設定できる場合は、その場合の開始タイミングをスキャン期間の開始タイミングと決定する。
【００５５】
上記のタイミングを設定できない場合、スキャン期間設定部３６は、優先度決定部１４によって決定された優先度が最も低いコネクションを対象外として、共通非通信期間を取得し直す。
【００５６】
続いて、スキャン期間設定部３６は、スキャン期間の始期がいずれかの共通非通信期間に含まれ、かつ、スキャン期間の終期がいずれかの共通非通信期間に含まれるようにスキャン期間の開始タイミングを設定できるかを確認する。そして、設定できる場合は、その場合の開始タイミングをスキャン期間の開始タイミングと決定する。
【００５７】
例えば、図１０に示した例において上記のタイミングを設定できない場合、スキャン期間設定部３６は、優先度の低い方のコネクションを対象外として共通非通信期間を取得し直す。この例の場合、ＣＩＤ＝２のコネクションの方が優先度が低いとすると、ＣＩＤ＝２のコネクションが対象外とされ、図１４のように共通非通信期間が再設定される。再設定後の共通非通信期間は、再設定前よりも広くなり、上記のタイミングが設定され易くなっている。
【００５８】
このように、優先度の低いコネクションを１つずつ対象外としていきながら、最適なスキャン期間を設定できる開始タイミングを探索することにより、優先度の高いコネクションの通信効率を向上させることができる。
【００５９】
次に、移動局３０によるスキャン期間設定処理の処理手順について説明する。図１５は、スキャン期間設定処理の処理手順を示すフローチャートである。図１５に示すように、スキャン実行判定部１１は、スキャン処理の実行が必要であるか否かを判定し（ステップＳ２０１）、必要ないと判断した場合は（ステップＳ２０１否定）、判定を再実行する（ステップＳ２０１）。
【００６０】
そして、スキャン実行判定部１１が、スキャン処理の実行が必要であると判断した場合は（ステップＳ２０１肯定）、スキャン期間長決定部１２が、スキャン期間の長さを決定する（ステップＳ２０２）。続いて、スキャン期間設定部３６が、間欠通信中のコネクションがあるか否かを間欠通信管理部１３に問い合わせる。ここで、間欠通信中のコネクションがなければ（ステップＳ２０３否定）、スキャン期間設定部３６は、所定時間後をスキャン期間の開始タイミングとして決定する（ステップＳ２０４）。そして、スキャン処理部１８が、その開始タイミングでスキャン処理を実行し（ステップＳ２１５）、その後、ステップＳ２０１から処理が再開される。
【００６１】
一方、間欠通信中のコネクションがあれば（ステップＳ２０３肯定）、スキャン期間設定部３６は、間欠通信管理部１３から各コネクションの通信期間と非通信期間を取得する（ステップＳ２０５）。そして、それらの論理和を求めて、共通非通信期間を取得する（ステップＳ２０６）。続いて、スキャン期間設定部３６は、スキャン期間の始期がいずれかの共通非通信期間に含まれ、かつ、スキャン期間の終期がいずれかの共通非通信期間に含まれるようにスキャン期間の開始タイミングを設定できるかを判定する（ステップＳ２０７）。
【００６２】
そして、設定できる場合は（ステップＳ２０８肯定）、スキャン期間設定部３６は、その場合の開始タイミングをスキャン期間の開始タイミングと決定する（ステップＳ２０９）。そして、スキャン処理部１８が、その開始タイミングでスキャン処理を実行し（ステップＳ２１５）、その後、ステップＳ２０１から処理が再開される。
【００６３】
上記のタイミングを設定できない場合（ステップＳ２０８否定）、スキャン期間設定部３６は、共通非通信期間の取得対象外となっていないコネクションが１つだけであるかを確認する（ステップＳ２１０）。ここで、１つだけでなければ（ステップＳ２１０否定）、スキャン期間設定部３６は、共通非通信期間の取得対象外となっていないコネクションのうち最も優先度の低いものを共通非通信期間の取得対象外とする（ステップＳ２１１）。そして、その後、ステップＳ２０５から処理が再開される。
【００６４】
一方、ステップＳ２１０で共通非通信期間の取得対象外となっていないコネクションが１つだけであった場合は（ステップＳ２１０肯定）、スキャン期間の始期を非通信期間の始期と一致させた場合における各コネクションの通信期間とスキャン期間の重複期間の長さを重複期間算出部１７に算出させる（ステップＳ２１２）。
【００６５】
さらに、スキャン期間設定部３６は、スキャン期間の終期を共通非通信期間の終期と一致させた場合における各コネクションの通信期間とスキャン期間の重複期間の長さを重複期間算出部１７に算出させる（ステップＳ２１３）。
【００６６】
そして、スキャン期間設定部３６は、重複時間の小さい方のスキャン期間を採用する（ステップＳ２１４）。そして、スキャン処理部１８が、採用された開始タイミングでスキャン処理を実行し（ステップＳ２１５）、その後、ステップＳ２０１から処理が再開される。
【実施例３】
【００６７】
実施例１および２では、移動局側でスキャン期間を設定することとしたが、基地局側でスキャン期間を設定することとしてもよい。そこで、実施例３では、基地局側でスキャン期間を設定する例について説明する。
【００６８】
まず、本実施例に係る基地局４０の構成について説明する。図１６は、基地局４０の構成を示すブロック図である。図１６に示すように、基地局４０は、移動局５０と無線通信を行う通信装置であり、スキャン実行判定部４１と、スキャン期間長決定部４２と、間欠通信管理部４３と、優先度決定部４４と、通信量測定部４５と、スキャン期間設定部４６と、重複期間算出部４７と、スキャン処理部４８とを有する。なお、図１６では、間欠通信を行う機能とスキャン処理を行う機能に関連する部位以外の図示を省略している。
【００６９】
スキャン実行判定部４１は、所定の実行条件に基づいて、スキャン処理の実行が必要か否かを、当該の基地局４０と通信中の移動局５０毎に判定する。例えば、スキャン実行判定部４１は、通信中の移動局５０から通知されるＣＩＮＲに基づいて、スキャン処理の実行の要否の判定を行う。
【００７０】
スキャン期間長決定部４２は、スキャン期間の長さを、当該の基地局４０と通信中の移動局５０毎に決定する。スキャン期間の長さの決定は、どのような方式で行ってもよく、例えば、隣接基地局１つにつき４０フレームというように、移動局５０の隣接基地局の数に応じて決定することができる。
【００７１】
間欠通信管理部４３は、間欠通信の状態を、当該の基地局４０と通信中の移動局５０毎に管理する。具体的には、間欠通信管理部４３は、ＰＳＣから、Ｌｉｓｔｅｎｉｎｇ  Ｗｉｎｄｏｗ（通信期間）の長さ、Ｓｌｅｅｐｉｎｇ  Ｗｉｎｄｏｗ（非通信期間）の長さ等の情報を取得して、間欠通信状態情報として保持する。
【００７２】
優先度決定部４４は、各コネクションの優先度を、当該の基地局４０と通信中の移動局５０毎に決定する。優先度の決定は、どのような方式で行ってもよいが、ここでは、通信量測定部４５によって測定されたコネクション毎の通信量に基づいて、通信量が多いコネクションほど優先度を高くするものとする。なお、優先度の決定は、例えば、コネクション毎に設定されたＱｏＳ（Quality of Service）に基づいて行ってもよい。
【００７３】
スキャン期間設定部４６は、スキャン実行判定部４１によってスキャン処理の実行が必要であると判定された移動局５０に関して、スキャン期間長決定部４２によって決定された長さのスキャン期間の開始タイミングを決定する。
【００７４】
具体的には、スキャン期間設定部４６は、間欠通信管理部４３に対して、スキャン処理の実行が必要であると判定された移動局５０との間に間欠通信を行う状態にあるコネクションがあるか否かを問い合わせる。ここで、間欠通信を行う状態にあるコネクションがない場合は、スキャン期間設定部４６は、所定時間後をスキャン期間の開始タイミングとして決定する。
【００７５】
一方、間欠通信を行う状態にあるコネクションがあれば、スキャン期間設定部４６は、間欠通信管理部４３から、スキャン処理の実行が必要であると判定された移動局５０の各コネクションの通信期間と非通信期間を取得する。そして、それらの論理和を求めて、共通非通信期間を取得する。
【００７６】
続いて、スキャン期間設定部４６は、図１０に示したように、スキャン期間の始期がいずれかの共通非通信期間に含まれ、かつ、スキャン期間の終期がいずれかの共通非通信期間に含まれるようにスキャン期間の開始タイミングを設定できるかを確認する。そして、設定できる場合は、その場合の開始タイミングをスキャン期間の開始タイミングと決定する。
【００７７】
上記のタイミングを設定できない場合、スキャン期間設定部４６は、スキャン期間の始期を共通非通信期間の始期と一致させた場合における各コネクションの通信期間とスキャン期間の重複期間の長さを重複期間算出部４７に算出させる。なお、ここでの重複期間の算出は、スキャン処理の実行が必要であると判定された移動局５０の各コネクションを対象とすればよい。そして、スキャン期間設定部４６は、算出された各コネクションの重複時間を、優先度決定部４４によって決定された優先度が高いコネクションの重複時間が長く評価されるように重みを付けて集計する。
【００７８】
さらに、スキャン期間設定部４６は、スキャン期間の終期を共通非通信期間の終期と一致させた場合における各コネクションの通信期間とスキャン期間の重複期間の長さを重複期間算出部４７に算出させる。なお、ここでの重複期間の算出も、スキャン処理の実行が必要であると判定された移動局５０の各コネクションを対象とすればよい。そして、スキャン期間設定部４６は、算出された各コネクションの重複時間を、優先度決定部４４によって決定された優先度が高いコネクションの重複時間が長く評価されるように重みを付けて集計する。
【００７９】
そして、スキャン期間設定部４６は、重複時間の集計値の小さい方のスキャン期間を採用する。
【００８０】
なお、スキャン期間の始期がいずれかの共通非通信期間に含まれ、かつ、スキャン期間の終期がいずれかの共通非通信期間に含まれるようにスキャン期間の開始タイミングを設定できない場合は、実施例２に示した方式でスキャン期間を設定してもよい。すなわち、優先度の低いコネクションから順に対象外として共通非通信期間を再設定しながら上記の条件が満たされる開始タイミングを探索することとしてもよい。
【００８１】
重複期間算出部４７は、通信期間とスキャン期間の重複期間の長さをコネクション毎に算出する。スキャン処理部４８は、スキャン期間設定部４６によって決定されたタイミングでスキャン期間が開始されるように移動局５０と調整を行う。移動局５０との間でのスキャン期間の調整は、例えば、ＭＯＢ＿ＳＣＮ−ＲＥＱとＭＯＢ＿ＳＣＮ−ＲＳＰのやりとりによって実現できる。
【００８２】
以上の各実施例を含む実施形態に関し、さらに以下の付記を開示する。
【００８３】
（付記１）第１の基地局との間で通信を行う期間である通信期間と、該第１の基地局との間で通信を行わない期間である非通信期間とを管理する間欠通信管理部と、
第２の基地局の電波の受信状況を取得するスキャン処理を実行可能な期間であるスキャン期間が、複数の前記通信期間と重複する場合に、前記スキャン期間を前記通信期間との重複期間が小さくなるようにシフトして設定するスキャン期間設定部と、
前記スキャン期間設定部によって設定されたスキャン期間において前記スキャン処理を実行するスキャン処理部と、
を備えたことを特徴とする移動局。
【００８４】
（付記２）前記スキャン期間設定部は、前記スキャン期間を、該スキャン期間の始期が前記非通信期間のいずれかに含まれ、かつ、該スキャン期間の終期が前記非通信期間のいずれかに含まれるように設定することを特徴とする付記１に記載の移動局。
【００８５】
（付記３）前記スキャン期間設定部は、前記スキャン期間の始期を前記非通信期間の始期と一致させることを特徴とする付記１に記載の移動局。
【００８６】
（付記４）前記スキャン期間設定部は、前記スキャン期間の終期を前記非通信期間の終期と一致させることを特徴とする付記１に記載の移動局。
【００８７】
（付記５）前記スキャン期間と前記通信期間の重複期間の長さを算出する重複期間算出部をさらに備え、
前記スキャン期間設定部は、始期を前記非通信期間の始期と一致させたスキャン期間と、終期を前記非通信期間の終期と一致させたスキャン期間のうち、前記重複期間算出部によって算出された重複期間の長さが短い方のスキャン期間を選択することを特徴とする付記１に記載の移動局。
【００８８】
（付記６）前記スキャン期間設定部は、前記第１の基地局との間で複数のコネクションが確立されている場合に、優先度が高いコネクションほど前記スキャン期間と前記通信期間の重複期間の長さが短くなるように前記スキャン期間を設定すること特徴とする付記１に記載の移動局。
【００８９】
（付記７）移動局との間で通信を行う期間である通信期間と、該第１の基地局との間で通信を行わない期間である非通信期間とを管理する間欠通信管理部と、
前記移動局が他の基地局の電波の受信状況を取得するスキャン処理を実行可能な期間であるスキャン期間が複数の前記通信期間と重複する場合に、前記スキャン期間を前記通信期間との重複期間が小さくなるようにシフトして設定するスキャン期間設定部と、
前記スキャン期間設定部によって設定されたスキャン期間において前記移動局に前記スキャン処理を実行させるスキャン処理部と、
を備えたことを特徴とする基地局。
【００９０】
（付記８）前記スキャン期間設定部は、前記スキャン期間を、該スキャン期間の始期が前記非通信期間のいずれかに含まれ、かつ、該スキャン期間の終期が前記非通信期間のいずれかに含まれるように設定することを特徴とする付記７に記載の基地局。
【００９１】
（付記９）前記スキャン期間設定部は、前記スキャン期間の始期を前記非通信期間の始期と一致させることを特徴とする付記７に記載の基地局。
【００９２】
（付記１０）前記スキャン期間設定部は、前記スキャン期間の終期を前記非通信期間の終期と一致させることを特徴とする付記７に記載の基地局。
【００９３】
（付記１１）前記スキャン期間と前記通信期間の重複期間の長さを算出する重複期間算出部をさらに備え、
前記スキャン期間設定部は、始期を前記非通信期間の始期と一致させたスキャン期間と、終期を前記非通信期間の終期と一致させたスキャン期間のうち、前記重複期間算出部によって算出された重複期間の長さが短い方のスキャン期間を選択することを特徴とする付記７に記載の基地局。
【００９４】
（付記１２）前記スキャン期間設定部は、前記移動局との間で複数のコネクションが確立されている場合に、優先度が高いコネクションほど前記スキャン期間と前記通信期間の重複期間の長さが短くなるように前記スキャン期間を設定すること特徴とする付記７に記載の基地局。
【図面の簡単な説明】
【００９５】
【図１】本実施例におけるスキャン期間設定方法について説明するための図である。
【図２】スキャン期間の始期を非通信期間の始期と一致させた場合の一例を示す図である。
【図３】スキャン期間の終期を非通信期間の終期と一致させた場合の一例を示す図である。
【図４】ネットワーク構成の一例を示す図である。
【図５】実施例１に係る移動局の構成を示すブロック図である。
【図６】スキャンの実行条件の一例を示す図である。
【図７】隣接基地局情報の一例を示す図である。
【図８】間欠通信状態情報の一例を示す図である。
【図９】通信量の測定結果の一例を示す図である。
【図１０】スキャン期間の設定の一例を示す図である。
【図１１】重複期間の比較の一例を示す図である。
【図１２】実施例１に係る移動局によって実行されるスキャン期間設定処理の処理手順を示すフローチャートである。
【図１３】実施例２に係る移動局の構成を示すブロック図である。
【図１４】コネクションの排除の一例を示す図である。
【図１５】実施例２に係る移動局によって実行されるスキャン期間設定処理の処理手順を示すフローチャートである。
【図１６】実施例３に係る基地局の構成を示すブロック図である。
【図１７】間欠通信について説明するための図である。
【図１８】スキャン期間について説明するための図である。
【図１９】非通信期間とスキャン期間が重なった場合の一例を示す図である。
【符号の説明】
【００９６】
１０、３０、５０  移動局
１１  スキャン実行判定部
１２  スキャン期間長決定部
１３  間欠通信管理部
１４  優先度決定部
１５  通信量測定部
１６、３６  スキャン期間設定部
１７  重複期間算出部
１８  スキャン処理部
２０、４０  基地局
４１  スキャン実行判定部
４２  スキャン期間長決定部
４３  間欠通信管理部
４４  優先度決定部
４５  通信量測定部
４６  スキャン期間設定部
４７  重複期間算出部
４８  スキャン処理部
【図１】
2010098469.tif 000003
【図２】
2010098469.tif 000004
【図３】
2010098469.tif 000005
【図４】
2010098469.tif 000006
【図５】
2010098469.tif 000007
【図６】
2010098469.tif 000008
【図７】
2010098469.tif 000009
【図８】
2010098469.tif 000010
【図９】
2010098469.tif 000011
【図１０】
2010098469.tif 000012
【図１１】
2010098469.tif 000013
【図１２】
2010098469.tif 000014
【図１３】
2010098469.tif 000015
【図１４】
2010098469.tif 000016
【図１５】
2010098469.tif 000017
【図１６】
2010098469.tif 000018
【図１７】
2010098469.tif 000019
【図１８】
2010098469.tif 000020
【図１９】
2010098469.tif 000021